(57)【特許請求の範囲】
【請求項１】
通話のためのマイク（２１）、スピーカ（２２）および玄関の訪問者の画像を出画するためのＣＲＴモニタ（２０）を上筐体（２５）、下筐体（２６）間に装着し、
前記スピーカからの磁束によって発生する前記ＣＲＴモニタ上の画質の影響を調整する画質調整ボリューム（２７Ａ、２７Ｂ、２７Ｃ）を基板（２８）上に搭載し、
前記上筐体には、前記ＣＲＴモニタを前記上筐体、前記下筐体間に装着された状態で前記ＣＲＴモニタの画質を調整するため前記画質調整ボリュームを調整するための調整穴（２９Ａ、２９Ｂ、２９Ｃ）を前記画質調整ボリュームの位置に対応して設け、
前記上筐体は、前記上筐体に取り付けられ前記調整穴を遮蔽するパネル（３０）で被蓋されることを特徴とするテレビインターホン装置。
【発明の詳細な説明】
【０００１】
【発明の属する技術分野】
本発明はテレビインターホン装置に係り、特にＣＲＴモニタの画質の調整ができるテレビインターホン装置に関する。
【０００２】
【従来の技術】
従来から、この種のテレビインターホン装置は、玄関などに設置されるドアホン子機と、室内に設置されるインターホン親機とが幹線で接続されたものであり、ドアホン子機には、子機の設置場所の周囲の映像を撮像するＣＣＤカメラ、親機間で通話を行うための子機マイク、子機スピーカおよびインターホン親機を呼び出すための呼出ボタン等が備えられる。一方、インターホン親機には、ドアホン子機のＣＣＤカメラから送られる玄関の訪問者の映像を出画するためのＣＲＴモニタ、ドアホン子機と通話を行うための親機マイク、親機スピーカ、ＣＲＴモニタを操作するモニタボタン、通話を操作するための通話ボタン等が備えられる。
【０００３】
このテレビインターホン装置のインターホン親機は図４に示すように、通話のための親機マイク５１、親機スピーカ５２および玄関の訪問者の画像を出画するためのＣＲＴモニタ５３を上筐体５４、下筐体５５間に装着している。具体的には、図５に示すように、上筐体５４に親機マイク５１および親機スピーカ５２が設けられ、下筐体５５にＣＲＴモニタ５３が設けられている。また、上筐体５４には、ＣＲＴモニタ５３用の窓５４ａと、親機マイク５１が設けられる位置にスリット５４ｂと、親機スピーカ５２が設けられる位置に格子スリット５４ｃとが穿設されている。また、下筐体５５には、上筐体５４に設けられている親機マイク５１および親機スピーカ５２からの磁束によって発生するＣＲＴモニタ５３上の画質の影響を調整する画質調整ボリューム５６Ａ、５６Ｂ、５６Ｃが搭載された基板５７が設けられている。
【０００４】
このようなインターホン親機を組み立てるには、上筐体５４に親機マイク５１および親機スピーカ５２を、下筐体５５に画質調整ボリューム５６Ａ、５６Ｂ、５６Ｃが搭載された基板５７およびＣＲＴモニタ５３をそれぞれ組み込み後、画質調整ボリューム５６Ａ、５６Ｂ、５６ＣによってＣＲＴモニタ５３の画質の調整を行って、上筐体５４と下筐体５５とを嵌合させている。
【０００５】
【発明が解決しようとする課題】
しかしながら、この組立時において、上筐体５４と下筐体５５とを嵌合させた際、上筐体５４にＣＲＴモニタ５３の画質に影響を与える磁束を発生する親機スピーカ５２が設置されているので、再度、ＣＲＴモニタ５３の画質を確認しなければならず、確認の結果、再調整が必要な場合には、再び上筐体５４と下筐体５５とを分離させてから、画質調整ボリューム５６Ａ、５６Ｂ、５６ＣによってＣＲＴモニタ５３の画質の調整を行わなければならなかった。
【０００６】
本発明は、このような従来の難点を解決するためになされたもので、ＣＲＴモニタの画質に影響のある部品をすべて取り付けた上筐体と下筐体とを嵌合させた状態で、ＣＲＴモニタの画質の調整ができるテレビインターホン装置を提供することを目的とする。
【０００７】
【課題を解決するための手段】
このような目的を達成する本発明のテレビインターホン装置は、通話のためのマイク、スピーカおよび玄関の訪問者の画像を出画するためのＣＲＴモニタを上筐体、下筐体間に装着し、スピーカからの磁束によって発生するＣＲＴモニタ上の画質の影響を調整する画質調整ボリュームを基板上に搭載し、上筐体には、ＣＲＴモニタを上筐体、下筐体間に装着された状態でＣＲＴモニタの画質を調整するため画質調整ボリュームを調整するための調整穴を画質調整ボリュームの位置に対応して設けたものである。また、上筐体は、上筐体に取り付けられ調整穴を遮蔽するパネルで被蓋されるものである。
【０００８】
このテレビインターホン装置によれば、上筐体に画質調整ボリュームを調整するための調整穴を有しているので、ＣＲＴモニタの画質に影響のある部品をすべて取り付けた上筐体と下筐体とを嵌合させた状態で、ＣＲＴモニタの画質の調整をすることが可能になる。また、画質調整ボリュームを安易に操作できなくなるので、いたずらされたり、まちがって触れてしまったりすることを防ぐことができる。
【０００９】
【発明の実態の形態】
以下、本発明のテレビインターホン装置による好ましい実施の形態例について図面を参照して詳述する。
【００１０】
本発明のテレビインターホン装置は図３に示すように、玄関などに設置されるドアホン子機１と、室内に設置されるインターホン親機２とが幹線Ｌ１で接続されたものであり、ドアホン子機１には、ドアホン子機１が設置される周辺の映像を撮像するＣＣＤカメラ１１、インターホン親機２間で通話を行うための子機マイク１２、子機スピーカ１３およびインターホン親機２を呼び出すための呼出ボタン１０が備えられる。一方、インターホン親機２には、ドアホン子機１のＣＣＤカメラ１１から送られる玄関の訪問者の映像を出画するためのＣＲＴモニタ２０、ドアホン子機１と通話を行うための親機マイク２１、親機スピーカ２２、ＣＲＴモニタ２０を操作するモニタボタン２３、通話を操作するための通話ボタン２４等が備えられる。
【００１１】
このテレビインターホン装置のインターホン親機は図１に示すように、通話のための親機マイク２１、親機スピーカ２２および玄関の訪問者の画像を出画するためのＣＲＴモニタ２０を上筐体２５、下筐体２６間に装着している。具体的には、図２に示すように、上筐体２５に親機マイク２１および親機スピーカ２２が設けられ、下筐体２６にＣＲＴモニタ２０が設けられている。また、上筐体２５には、ＣＲＴモニタ２０用の窓２５ａと、親機マイク２１が設けられる位置にスリット２５ｂと、親機スピーカ２２が設けられる位置に格子スリット２５ｃとが穿設されている。また、下筐体２６には、上筐体２５に設けられている親機スピーカ２２からの磁束によって発生するＣＲＴモニタ２０上の画質の影響を調整する画質調整ボリューム２７Ａ、２７Ｂ、２７Ｃが搭載された基板２８が設けられている。
【００１２】
さらに、上筐体２５には、ＣＲＴモニタ２０を上筐体２５、下筐体２６間に装着された状態でＣＲＴモニタ２０の画質を調整するため画質調整ボリューム２７を調整するための調整穴２９Ａ、２９Ｂ、２９Ｃが、画質調整ボリューム２７Ａ、２７Ｂ、２７Ｃの位置に対応して設けられている。
【００１３】
このような上筐体２５は、上筐体２５に取り付けられ調整穴２９Ａ、２９Ｂ、２９Ｃを遮蔽するパネル３０で被蓋される（図１）。これにより、画質調整ボリューム２７Ａ、２７Ｂ、２７Ｃを安易に操作できなくなるので、いたずらされたり、まちがって触れてしまったりすることを防ぐことができる。また、このパネル３０を上筐体２５に対して着脱自在に取り付けられる構造にすることにより、画質調整ボリューム２７Ａ、２７Ｂ、２７ＣによるＣＲＴモニタ２０の画質の調整が容易になる。なお、パネル３０は、モニタボタン２３および通話ボタン２４を有している。
【００１４】
このようなインターホン親機２を組み立てるには、上筐体２５に親機マイク２１および親機スピーカ２２を、下筐体２６に画質調整ボリューム２７が搭載された基板２８およびＣＲＴモニタ２０をそれぞれ組み込み後、画質調整ボリューム２７Ａ、２７Ｂ、２７ＣによってＣＲＴモニタ２０の画質の調整を行って、上筐体２５と下筐体２６とを嵌合させている。また、この組立時において、上筐体２５と下筐体２６とを嵌合させた際、上筐体２５にＣＲＴモニタ２０の画質に影響を与える磁束を発生する親機スピーカ２２が設置されているので、再度、ＣＲＴモニタ２０の画質を確認する。確認の結果、再調整が必要な場合には、上筐体２５と下筐体２６とを嵌合させた状態で、上筐体２５に設けられた調整穴２９Ａ、２９Ｂ、２９Ｃから調整工具（図示せず）で基板２８上に搭載された画質調整ボリューム２７Ａ、２７Ｂ、２７Ｃを調整して、ＣＲＴモニタ２０の画質を調整する。
【００１５】
【発明の効果】
以上の説明から明らかなように、本発明のテレビインターホン装置によれば、上筐体に画質調整ボリュームを調整するための調整穴を有しているので、ＣＲＴモニタの画質に影響のある部品をすべて取り付けた上筐体と下筐体とを嵌合させた状態で、ＣＲＴモニタの画質の調整をすることが可能になる。
【図面の簡単な説明】
【図１】  本発明のテレビインターホン装置による好ましい実施の形態例を示す図で、インターホン親機の上筐体と下筐体とが嵌合された状態を示す斜視図。
【図２】  本発明のテレビインターホン装置による好ましい実施の形態例を示す図で、インターホン親機の上筐体と下筐体とが分離された状態を示す斜視図。
【図３】  テレビインターホン装置の構成を示す説明図。
【図４】  従来のテレビインターホン装置に適用されるインターホン親機の上筐体と下筐体とが嵌合された状態を示す斜視図。
【図５】  従来のテレビインターホン装置に適用されるインターホン親機の上筐体と下筐体とが分離された状態を示す斜視図。
【符号の説明】
２０・・・ＣＲＴモニタ
２１・・・マイク
２２・・・スピーカ
２５・・・上筐体
２６・・・下筐体
２７Ａ、２７Ｂ、２７Ｃ・・・画質調整ボリューム
２８・・・基板
２９Ａ、２９Ｂ、２９Ｃ・・・調整穴
【図１】
0004550241.tif 000002
【図２】
0004550241.tif 000003
【図３】
0004550241.tif 000004
【図４】
0004550241.tif 000005
【図５】
0004550241.tif 000006